(57)【特許請求の範囲】
【請求項１】
伸長可能なフレーム（2）ならびにそれに取り付けられたシート（3）および背もたれ（4）を本質的に含み、かつ椅子（28）の背もたれ（30）の上に配置することができる少なくとも一つのハンドル（11）、ハンドグリップ、または類似物が該フレーム（2）上に提供された、椅子（28）または類似物のシート高を上げるためのブースターシート（1）であって、
該フレーム（2）が二つの入れ子式チューブ（5）によって形成され、該二つの入れ子式チューブそれぞれが、互いの中に滑り込む少なくとも二つの入れ子式要素（7、8）、すなわち内側要素（7）および外側要素（8）によって形成され、連続的に調節可能である、互いに対する一定の位置に該入れ子式要素（7、8）を固定するためのブレーキ（13）が提供され、かつ、
少なくとも二つの要素（7、8）が、互いを横切る二つの方向（Y−Y′、Z−Z′）において計測されたとき幅（A、B）が長さ（C、D）よりも小さい非対称断面を有し、かつ、
該ブレーキ（13）が、該内側要素(7)の一端（9）に回動可能に取り付けられるが、該要素（7）に対して軸方向にロックされるストッパ（14）として構成され、かつ、
寸法が、該外側要素（8）の中で締め付けられる位置と、該外側要素（8）から切り離され、ひいては該内側要素（7）とともに該外側要素（8）の中に滑り込ませることができる位置との間で回動可能であるような寸法であり、
該少なくとも一つのハンドル（11）、ハンドグリップ、または類似物が内側要素（7）の中に延びているロッド（15）または類似物に接続され、該ロッドまたは類似物は、該ハンドル（11）の回動が、ハンドル（11）がフレーム（2）の平面中にあり、それによりブレーキ（13）が解放位置に来る位置と、該ハンドル（11）が該フレーム（2）の該平面に対して垂直であり、それにより該ブレーキ（13）が締付け位置に来る位置との間で、該ロッド（15）およびストッパ（14）の回動を可能にするようなやり方で該ストッパ（14）に接続されることを特徴とする
前記ブースターシート。
【請求項２】
ストッパ（14）が、二つの径方向（Y-Y'、Z-Z'）にしたがって短軸（E）および長軸（F）を有する楕円形であり、該楕円形のストッパ（14）の該長軸（F）が、少なくとも外側要素（8）の断面の幅（B）と同じ大きさであり、かつ長さ（D）よりも小さく、該ストッパ（14）が、軸方向（X-X'）に対して平行な軸を中心に、該楕円形のストッパ（14）の該長軸（F）が該外側要素（8）の断面の幅（B）に沿った向きに置かれる締付け位置と、該ストッパ（14）の該長軸（F）が該外側要素（8）の断面の長さ（D）に沿った向きに置かれる解放位置との間で回動可能であることを特徴とする、請求項1に記載のブースターシート。
【請求項３】
ストッパ（14）がゴムまたは別の弾性変形性材料でできていることを特徴とする、請求項１に記載のブースターシート。
【請求項４】
要素（7、8）が概ね長方形の断面を有することを特徴とする、請求項１に記載のブースターシート。
【請求項５】
シート（3）および／または背もたれ（4）が、フレーム（2）の入れ子式チューブ（5）上で滑動可能なやり方で取り付けられている二つの支持体（16）によって外側要素（8）に固定され、該支持体（16）が、該支持体（16）を該フレーム（2）に対して一定の位置にロックするための手段（19）を備えていることを特徴とする、請求項１に記載のブースターシート。
【請求項６】
前記手段（19）が可動ピン（20）によって形成され、支持体（16）をロックするためにこの端部に設けられた、フレーム（2）の要素（7、8）の切欠き（10）の中にピン（20）が保持される位置と、該ピン（20）が該切欠きから引き抜かれる位置との間で、該可動ピン（20）を動かすことができることを特徴とする、請求項５に記載のブースターシート。
【請求項７】
支持体（16）が、フレーム（2）の入れ子式チューブ（5）の上で滑らせることができるチューブとして構成されていることを特徴とする、請求項５または６に記載のブースターシート。
【請求項８】
少なくとも一つのハンドル（11）、ハンドグリップ、または類似物を椅子（28）の背もたれ（30）の上に配置することによって、フレーム（2）を椅子（28）のシート（29）に対して角度（H）で配置することができることを特徴とする、請求項１に記載のブースターシート。
【請求項９】
ブースターシート（1）が、該ブースターシート（1）を椅子（28）または類似物のシート（29）および／または背もたれ（30）に固定することを可能にする固定用ベルト（26）を備えていることを特徴とする、請求項１に記載のブースターシート。
【請求項１０】
ブースターシート（1）が、該ブースターシート（1）中の人を該ブースターシート（1）中に確保するための固定手段を備えていることを特徴とする、請求項１に記載のブースターシート。
【請求項１１】
シート（3）および必要ならば背もたれ（4）を、枢動可能なやり方でフレーム（2）に固定することにより、伸長可能なフレーム（2）の平面または概ね平面まで折りたたむことができ、および／または、内側要素（7）を外側要素（8）の中に完全または実質的に完全に滑り込ませることができることを特徴とする、請求項１に記載のブースターシート。
【発明の詳細な説明】
【技術分野】
【０００１】
本発明は、椅子または類似物のシート高を上げるためのブースターシートに関する。
【０００２】
より具体的には、本発明は、子供が安全に座ることができるベビーチェアとしての使用に椅子が適するように、椅子のシート高を上げることを意図したものである。
【背景技術】
【０００３】
子供、たとえば幼児または乳児を、台または類似物に安全に座らせるために使用することができるように適合され、かつ設計されているベビーチェアがすでに公知である。
【０００４】
このようなベビーチェアは、子供にしか適さず、その結果、それらが使用されないとき無駄に場所を取るという欠点を抱えている。
【０００５】
そのうえ、このようなベビーチェアは、たとえばレストランなどに行くときに持ち運ぶには適さず、行く人は、手元にベビーチェアがなければその場所でベビーチェアが用意されていることに頼らざるを得ない。
【０００６】
同様に、通常の椅子のシートの上に、この椅子が子供に適するように調節するために配置することができる腰掛けまたは類似物の形態の「ブースターシート」がすでに公知である。
【０００７】
そのようなブースターシートは、すでにある椅子を適合させることができるため、余計なベビーチェアを別に提供することを不要にする。
【０００８】
すでにある公知のブースターシートは、多くの場合、大きく、そのようなブースターシートを運ぶことが困難であるという欠点を呈する。
【０００９】
そのうえ、公知のブースターシートは調節可能ではなく、たとえばシート高を調節することは不可能である。
【先行技術文献】
【特許文献】
【００１０】
【特許文献１】US 2010/052385
【特許文献２】US 2,792,054
【特許文献３】US 2008/224515
【特許文献４】US 2011/309658
【特許文献５】US 3,047,884
【特許文献６】US 2,481,382
【特許文献７】US 3,783,886
【発明の概要】
【００１１】
本発明の目的は、前記および他の欠点の少なくとも一つに対する解決手段を提供することである。
【００１２】
この目的のために、本発明は、椅子または類似物のシート高を上げるためのブースターシートであって、伸長可能なフレームならびにそれに取り付けられたシートおよび背もたれを本質的に含み、椅子の背もたれの上に配置することができる少なくとも一つのハンドル、ハンドグリップ、または類似物がフレーム上に提供され、フレームが二つの入れ子式チューブによって形成され、二つの入れ子式チューブそれぞれが、互いの中に滑り込む少なくとも二つの入れ子式要素、すなわち内側要素および外側要素によって形成され、連続的に調節可能である、互いに対する一定の位置に入れ子式要素を固定するためのブレーキが提供されている、ブースターシートに関する。
【００１３】
利点は、本発明のブースターシートをコンパクトに構成することができることである。
【００１４】
さらなる利点は、ブースターシートを、それと共に使用される椅子に合わせて調節することができることである。
【００１５】
フレームの高さが連続的に調節可能であるため、ブースターシートは、実質的にすべての寸法の椅子と共に使用することができる。
【００１６】
本発明にしたがって、少なくとも二つの要素は、互いを横切る二つの方向において計測されたとき幅が長さよりも小さい非対称断面を有し、ブレーキは、内側要素の一端に回動可能に取り付けられ、かつこの要素に対して軸方向にロックされるストッパとして構成され、寸法は、外側要素の中で締め付けられる位置と、外側要素から切り離され、ひいては内側要素とともに外側要素の中に滑り込ませることができる位置との間で回動可能であるような寸法である。
【００１７】
ブレーキのそのような態様は、それを容易に実現することができるという利点を有する。
【００１８】
さらなる利点は、ブレーキが入れ子式チューブ中にあるとき、外部の影響から起こり得る損傷からブレーキが保護されることである。
【００１９】
これの別の利点は、ブースターシートに座る子供が、ブレーキ上で自らを傷つける、またはブレーキを損傷することがないことである。
【００２０】
実際の態様において、シートおよび／または背もたれは、フレームの入れ子式チューブ上で滑動可能に取り付けられている二つの支持体によって外側要素に固定され、支持体は、支持体をフレームに対して一定の位置にロックするための手段を備えている。
【００２１】
これは、フレームに対するシートまたは背もたれの高さを調節することができるという利点を有する。
【００２２】
結果として、シート高および背もたれを、ブースターシートを使用する子供、ブースターシートが配置される椅子のシート高またはたとえば椅子が配置される台または類似物の高さに合わせて調節することが可能になる。
【００２３】
好ましい態様において、シートおよび必要ならば背もたれを、枢動可能なやり方でフレームに固定することにより、調節可能なフレームの平面または概ね平面中に延びているように折りたたむことができ、および／または、内側チューブを外側チューブの中に完全または実質的に完全に滑り込ませることができる。
【００２４】
これは、ブースターシートをコンパクトにして、場所をほとんど取らない、または、旅行中の使用のために容易に持ち運ぶことができるようにするという利点を有する。
【００２５】
より具体的には、本発明は以下を提供する。
[本発明１]
椅子（28）または類似物のシート高を上げるためのブースターシートであって、伸長可能なフレーム（2）ならびにそれに取り付けられたシート（3）および背もたれ（4）を本質的に含み、該椅子（28）の背もたれ（30）の上に配置することができる少なくとも一つのハンドル（11）、ハンドグリップ、または類似物が該フレーム（2）上に提供され、該フレーム（2）が二つの入れ子式チューブ（5）によって形成され、該二つの入れ子式チューブそれぞれが、互いの中に滑り込む少なくとも二つの入れ子式要素（7、8）、すなわち内側要素（7）および外側要素（8）によって形成され、連続的に調節可能である、互いに対する一定の位置に該入れ子式要素（7、8）を固定するためのブレーキ（13）が提供され、少なくとも二つの要素（7、8）が、互いを横切る二つの方向（Y−Y′、Z−Z′）において計測されたとき幅（A、B）が長さ（C、D）よりも小さい非対称断面を有し、該ブレーキ（13）が、該内側要素(7)の一端（9）に回動可能に取り付けられるが、該要素（7）に対して軸方向にロックされるストッパ（14）として構成され、寸法が、該外側要素（8）の中で締め付けられる位置と、該外側要素（8）から切り離され、ひいては該内側要素（7）とともに該外側要素（8）の中に滑り込ませることができる位置との間で回動可能であるような寸法であることを特徴とする、ブースターシート（1）。
[本発明２]
ストッパ（14）が、二つの径方向（Y-Y'、Z-Z'）にしたがって短軸（E）および長軸（F）を有する楕円形であり、該楕円形のストッパ（14）の該長軸（F）が、少なくとも外側要素（8）の断面の幅（B）と同じ大きさであり、かつ長さ（D）よりも小さく、該ストッパ（14）が、軸方向（X-X'）に対して平行な軸を中心に、該楕円形のストッパ（14）の該長軸（F）が該外側要素（8）の断面の幅（B）に沿った向きに置かれる締付け位置と、該ストッパ（14）の該長軸（F）が該外側要素（8）の断面の長さ（D）に沿った向きに置かれる解放位置との間で回動可能であることを特徴とする、本発明1に記載のブースターシート。
[本発明３]
少なくとも一つのハンドル（11）、ハンドグリップ、または類似物が内側要素（7）の他端（12）においてフレーム（2）に回動可能に取り付けられ、ストッパ（14）が該ハンドル（11）に結合されて、該ハンドル（11）の回動が該ストッパ（14）の回動を可能にすることを特徴とする、本発明1または2に記載のブースターシート。
[本発明４]
ハンドル（11）が、内側要素（7）の中に延びているロッド（15）または類似物に接続され、該ロッドまたは類似物が、該ハンドル（11）の回動が該ロッド（15）およびストッパ（14）の回動を可能にするようなやり方で該ストッパ（14）に接続されていることを特徴とする、本発明3に記載のブースターシート。
[本発明５]
ハンドル（11）がフレーム（2）の平面中にあり、それによりブレーキ（13）が解放位置に来る位置と、該ハンドル（11）が該フレーム（2）の該平面に対して垂直であり、それにより該ブレーキ（13）が締付け位置に来る位置との間で、該ハンドル（11）が回動可能であることを特徴とする、本発明3または4に記載のブースターシート。
[本発明６]
ストッパ（14）がゴムまたは別の弾性変形性材料でできていることを特徴とする、前記発明のいずれかに記載のブースターシート。
[本発明７]
要素（7、8）が概ね長方形の断面を有することを特徴とする、前記発明のいずれかに記載のブースターシート。
[本発明８]
シート（3）および／または背もたれ（4）が、フレーム（2）の入れ子式チューブ（5）上で滑動可能なやり方で取り付けられている二つの支持体（16）によって外側要素（8）に固定され、該支持体（16）が、該支持体（16）を該フレーム（2）に対して一定の位置にロックするための手段（19）を備えていることを特徴とする、前記発明のいずれかに記載のブースターシート。
[本発明９]
前記手段（19）が可動ピン（20）によって形成され、支持体（16）をロックするためにこの端部に設けられた、フレーム（2）の要素（7、8）の切欠き（10）の中にピン（20）が保持される位置と、該ピン（20）が該切欠きから引き抜かれる位置との間で、該可動ピン（20）を動かすことができることを特徴とする、本発明8に記載のブースターシート。
[本発明１０]
支持体（16）が、フレーム（2）の入れ子式チューブ（5）の上で滑らせることができるチューブとして構成されていることを特徴とする、本発明8または9に記載のブースターシート。
[本発明１１]
少なくとも一つのハンドル（11）、ハンドグリップ、または類似物を椅子（28）の背もたれ（30）の上に配置することによって、フレーム（2）を椅子（28）のシート（29）に対して角度（H）で配置することができることを特徴とする、前記発明のいずれかに記載のブースターシート。
[本発明１２]
ブースターシート（1）が、該ブースターシート（1）を椅子（28）または類似物のシート（29）および／または背もたれ（30）に固定することを可能にする固定用ベルト（26）を備えていることを特徴とする、前記発明のいずれかに記載のブースターシート。
[本発明１３]
ブースターシート（1）が、該ブースターシート（1）中の人を該ブースターシート（1）中に確保するための固定手段を備えていることを特徴とする、前記発明のいずれかに記載のブースターシート。
[本発明１４]
シート（3）および必要ならば背もたれ（4）を、枢動可能なやり方でフレーム（2）に固定することにより、伸長可能なフレーム（2）の平面または概ね平面まで折りたたむことができ、および／または、内側チューブ（7）を外側チューブ（8）の中に完全または実質的に完全に滑り込ませることができることを特徴とする、前記発明のいずれかに記載のブースターシート。
【図面の簡単な説明】
【００２６】
本発明の特徴をよりよく示す意図をもって、以下、図面を参照しながら非限定的な実例として本発明のブースターシートのいくつかの好ましい態様を説明する。
【００２７】
【図１】本発明のブースターシートの斜視図を概略的に示す。
【図２】図1の矢印F2から見た図を示す。
【図３】図2の部分切欠き図を示す。
【図４】図1の矢印F4から見た部分切欠き図を示す。
【図５】図1の矢印F5から見た部分切欠き図を示す。
【図６】図3の部分F6をより詳細に示す。
【発明を実施するための形態】
【００２８】
態様の説明
図1〜3に概略的に示されるブースターシート1は、本質的に、伸長可能なフレーム2ならびにその中に固定されたシート3および背もたれ4を含む。
【００２９】
フレームは、二つの横方向リンク6によって互いに接続される二つの入れ子式チューブ5で構成されている。
【００３０】
この場合、入れ子式チューブ5は、二つの入れ子式要素7および8、すなわち軸方向X-X'に沿って一端が外側要素8に滑り込み、そこから滑り出ることができる内側要素7によって形成されている。
【００３１】
両要素7および8はそれぞれ、たとえば図4に見ることができるような、互いを横切る二つの径方向Y-Y'およびZ-Z'において計測されときそれぞれ幅AおよびBがそれぞれ長さCおよびDよりも小さい概ね長方形の断面を有する。要素7、8がたとえば楕円形の断面を有するということは排除されない。
【００３２】
チューブ5中、この場合、チューブ5の外側要素8中、軸方向X-X'に互いに距離をとって位置するいくつかの切欠き10が設けられている。
【００３３】
この場合、内側要素7の他端12にあり、かつそれに回動可能に取り付けられた二つのハンドル11がフレーム2上に提供されている。
【００３４】
入れ子式要素7および8を互いに固定するためにブレーキ13が提供されている。
【００３５】
この場合、ブレーキ13は、各内側要素7の端部9に回動可能に取り付けられたストッパ14として、軸方向X-X'に対して平行な軸を中心にストッパ14が回動することができ、それにより、内側要素7に対して軸方向にストッパ14がロックされるように構成されている。
【００３６】
この場合、ストッパ14はゴムでできているが、別の弾性変形性材料を使用することもできることは明白である。
【００３７】
ストッパ14は、図4に示すように、二つの径方向Y-Y'およびZ-Z'にしたがって短軸Eおよび長軸Fを有する楕円形である。
【００３８】
前記長軸Fは、少なくとも外側要素8の断面の幅Bと同じ大きさであり、かつ長さDよりも小さい。この場合、長軸Fは幅Bよりもいくぶん大きい。
【００３９】
各ハンドル11が、この場合は内側要素7の中に延びているロッド15により、関連する楕円形のストッパ14に結合されている。
【００４０】
ロッド15は、ハンドル11の回動がロッド15およびストッパ14の回動を生じさせるようなやり方でストッパ14に接続されている。
【００４１】
シート4および背もたれ5は、フレーム2の入れ子式チューブ5上で滑動可能なやり方で取り付けられている二つの支持体16によってフレームに固定されている。
【００４２】
この場合、シート4は、操作ハンドル18を有するヒンジ17によって支持体16に可動的に取り付けられ、ヒンジを操作することにより、シート4は、シート4がフレーム2と概ね同じ平面中に延びている位置と、図2に示すような、フレーム2の平面に対して角度Gを示す位置との間で回動することができる。
【００４３】
この場合、支持体16は、フレーム2の入れ子式チューブ5の上で滑らせることができるチューブとして構成されている。
【００４４】
支持体16をフレーム2に対して一定の位置にロックするための手段19が提供され、この手段は、この場合、前記切欠き10の中に入り、かつそこから出ることができる可動ピン20によって形成されている。
【００４５】
この目的のために、ピン20は、ボタン22によって動かすことができるレバー21を備えている。
【００４６】
この例において、レバー21は、チューブ5に沿ってピン20から前記ボタン22まで延びているスラット板である。
【００４７】
この場合は前記ボタン22が一体化されているハウジング23がレバー21の周囲に提供され、このハウジング23が、レバー21が中央回動点24を中心に回動することを可能にする。
【００４８】
ハウジング23は、任意の損傷を防ぎ、ブースターシート1上の子供が傷つけられる、または自らを傷つける可能性を防ぐために、ピン20およびレバー21が保護されることを保証する。
【００４９】
回動点24のレベルで、スラット板は、この回動点24を形成するためにハウジング23によって支持される傾斜した不連続部25を備えている。
【００５０】
これは、ヒンジ点を要することなくレバー21を回動させることができ、レバー21が詰まることがないという利点を有する。
【００５１】
この場合、レバー21は弾性的に構成されている。
【００５２】
ブースターシート1はさらに、ブースターシート1を椅子または類似物のシートに固定することを可能にする固定用ベルト26を備えている。ブースターシートを椅子または類似物のシートに固定することを可能にする固定用ベルトがたとえば背もたれ4上にも提供されるということは排除されない。
【００５３】
さらに、ブースターシート1が、ブースターシート1中の人をブースターシート1に確保するための固定手段を備えることも可能である。この固定手段は、ベルト、ストラップまたは類似物として構成されることができる。
【００５４】
ブースターシート1はまた、フレーム2上の、ハンドル11とは概ね反対側に二つの支持脚27を備えている。
【００５５】
ブースターシート1の操作は非常に簡単であり、以下のとおりである。
【００５６】
第一の工程で、フレーム2の長さを調節する。
【００５７】
この目的のためには、図1の左側ハンドル11のように、ハンドル11を、ハンドルがフレーム2の平面中にある位置に回す。
【００５８】
すると、ブレーキ13は、図4に示すような、ストッパ14の長軸Fが外側要素8の断面の長さDの方向にある解放位置に来る。
【００５９】
その結果、フレーム2が所望の長さを有するまで内側要素7を外側要素8から滑り出させることができる。
【００６０】
そして、図1の右側ハンドル11のように、ハンドル11を、ハンドルがフレーム2の平面に対して垂直に延びる位置に回す。
【００６１】
ロッド15により、ストッパ14は、図5に示すような、ブレーキ13が、ストッパ14の長軸Fが外側要素8の断面の幅Bの方向にある締付け位置に来るまで、軸方向X-X'に対して平行な軸を中心に回動する。
【００６２】
ブレーキ13はいわば外側要素8の中にロックされ、それにより、楕円形のストッパ14はいくらか変形し、それにより、二つの要素7および8が互いに対して動くことを防ぐことができ、フレーム2の入れ子式チューブ5はロックされる。
【００６３】
次の工程において、図2に示すように、フレーム2を椅子28の上に配置することができる。
【００６４】
フレーム2の平面に対して垂直であるハンドル11を椅子28の背もたれ30の上に取り付けることにより、ブースターシート1を、椅子28のシート29に対して角度Hで配置する。これにより、支持脚27を、椅子28のシート29の上に配置する。
【００６５】
固定用ベルト26を、ブースターシート1を椅子28に固定するために、椅子28のシート29および／または背もたれ30の周囲に取り付ける。
【００６６】
次の工程において、フレーム2に対するシート3および／または背もたれ4の高さを変更して、シート3の高さを、椅子28、その椅子に座る子供または椅子28が配置される台に対して調節する。
【００６７】
その結果、ボタン22を押すことにより、レバー21は、ハウジング23によって支持される傾斜した不連続部25によって形成される回動点24を中心に回動するように動かされて、ピン20が、関連する切欠き10から引き抜かれる。
【００６８】
すると、支持体16を、別の切欠き10に対応する異なる位置に動かすことが可能になる。
【００６９】
ピン20が別の切欠き10と整合すると、ピンは、それらの切欠き10の中に保持されるまで動く。
【００７０】
レバー21は弾性に作られているため、いわば、レバー21がこの位置に保持されることを保証するばねのように挙動する。換言するならば、レバー21がピン20を切欠き10中に保持する。
【００７１】
今や支持体16は異なる位置にロックされている。
【００７２】
たとえば適当なやり方でレバー21を押すことによってピン20を切欠き10の中に押す別個のばねを提供することが排除されないことは明白である。この場合、レバー21が弾性に構成される必要はない。
【００７３】
必要ならば、かつまだ実施していないならば、操作ハンドル18を使用することにより、シート3を、フレーム2の平面に対して角度Gを示す位置まで展開することができる。
【００７４】
フレーム2は椅子28のシート29に対して角度Hで配置されるため、椅子28のシート29とブースターシート1のシート3とは平行または実質的に平行に延びる。
【００７５】
そして、子供をブースターシート1に座らせることができ、固定手段を使用して子供を安全に確保することができる。
【００７６】
はじめに支持体16の位置を調節し、次いでブースターシート1を椅子28に載せることも可能であることは明白である。
【００７７】
ブースターシート1が使用されないとき、入れ子式チューブ5を完全に滑り込ませ、シート3を再びフレーム2の平面または概ね平面まで折りたたむことができる。
【００７８】
これは、ブースターシート1を非常にコンパクトに作ることができ、それを容易に保管し、動かし、運ぶことができるようにするという利点を有する。
【００７９】
上記例においてはシート3および背もたれ4の両方が支持体16によってフレーム2に取り付けられるが、シート3だけが支持体16に取り付けられることも可能であることは明白である。
【００８０】
加えて、シート4の支持体16から独立して動かし、かつ調節することができる二つの別々のさらなる支持体によって背もたれ4がフレーム2に取り付けられることが可能である。
【００８１】
さらに、支持体16をロックするための手段19を異なるやり方で具現化することもできることは明白である。
【００８２】
本発明は、例として説明され、図示された態様に決して限定されず、本発明のブースターシート1は、本発明の範囲を逸脱することなく、あらゆる種の形態および寸法で実現することができる。
【符号の説明】
【００８３】
１  ブースターシート
２  フレーム
３  シート
４  背もたれ
５  入れ子式チューブ
６  横方向リンク
７  内側要素
８  外側要素
９  端部
１０  切欠き
１１  ハンドル
１２  他端
１３  ブレーキ
１４  ストッパ
１５  ロッド
１６  支持体
１７  ヒンジ
１８  操作ハンドル
１９  手段
２０  ピン
２１  レバー
２２  ボタン
２３  ハウジング
２４  回動点
２５  傾斜した不連続部
２６  固定用ベルト
２７  支持脚
２８  椅子
２９  シート
３０  背もたれ
【図１】
0006018142.tif 000002
【図２】
0006018142.tif 000003
【図３】
0006018142.tif 000004
【図４】
0006018142.tif 000005
【図５】
0006018142.tif 000006
【図６】
0006018142.tif 000007